(57)【要約】【課題】容易に遊技店の利益率低下を抑制すること。【解決手段】計数部２０２は、遊技媒体受入部２０１から送出される遊技媒体を計数する。接続部２０３は、タバコ交換機３０からタバコカードＩＤを受信し、許可信号生成部２０６から出力される許可信号を送信する。判定部２０４は、タバコカードＩＤに対応するタバコ交換履歴をタバコ交換ＤＢ部２０５から読み出し、タバコ交換履歴が所定条件を満たしているか否かを判定する。そして、判定部２０４は、タバコ交換履歴が所定条件を満たし、かつ、計数部２０２の計数結果がタバコ交換に十分であれば、許可信号生成部２０６に許可信号生成を指示する。タバコ交換ＤＢ部２０５は、タバコカードＩＤごとのタバコ交換履歴を記憶している。許可信号生成部２０６は、判定部２０４から許可信号生成を指示されると、タバコ交換を許可する旨の許可信号を生成する。【選択図】        図３
2007319529.tif 000002
【特許請求の範囲】
【請求項１】
遊技店において遊技客が有価価値をタバコに交換するタバコ交換を管理するタバコ交換管理装置であって、
遊技客に固有の識別情報を取得する第１取得手段と、
前記第１取得手段によって取得された識別情報に対応するタバコ交換履歴を取得する第２取得手段と、
前記第２取得手段によって取得されたタバコ交換履歴が所定条件を満たすか否かを判定する判定手段と、
前記判定手段による判定の結果、タバコ交換履歴が所定条件を満たす場合にタバコ交換を許可する許可手段と
を有することを特徴とするタバコ交換管理装置。
【請求項２】
前記第１取得手段は、
遊技客が所持する成人識別用のタバコカードのＩＤを識別情報として取得することを特徴とする請求項１記載のタバコ交換管理装置。
【請求項３】
前記第１取得手段は、
遊技客が所持する会員カードを受け付ける受付手段と、
前記受付手段によって受け付けられた会員カードの会員ＩＤと遊技客が所持する成人識別用のタバコカードのＩＤとから固有ＩＤを生成する生成手段と
を含むことを特徴とする請求項１記載のタバコ交換管理装置。
【請求項４】
前記第２取得手段は、
所定期間中にタバコ交換されたタバコ交換個数を取得し、
前記判定手段は、
タバコ交換個数が所定数以下であるか否かを判定することを特徴とする請求項１記載のタバコ交換管理装置。
【請求項５】
前記第２取得手段は、
タバコ交換されたタバコ交換時刻を取得し、
前記判定手段は、
前回のタバコ交換時刻から所定時間が経過しているか否かを判定することを特徴とする請求項１記載のタバコ交換管理装置。
【請求項６】
前記第２取得手段は、
遊技客の会員／非会員の種別を取得し、
前記判定手段は、
遊技客が会員である場合と非会員である場合とでタバコ交換履歴に異なる条件を適用することを特徴とする請求項１記載のタバコ交換管理装置。
【請求項７】
前記許可手段によってタバコ交換が許可された場合、このタバコ交換をタバコ交換履歴に反映する反映手段をさらに有することを特徴とする請求項１記載のタバコ交換管理装置。
【請求項８】
遊技店において遊技客が有価価値をタバコに交換するタバコ交換を管理するタバコ交換管理方法であって、
遊技客に固有の識別情報を取得する第１取得工程と、
前記第１取得工程にて取得された識別情報に対応するタバコ交換履歴を取得する第２取得工程と、
前記第２取得工程にて取得されたタバコ交換履歴が所定条件を満たすか否かを判定する判定工程と、
前記判定工程における判定の結果、タバコ交換履歴が所定条件を満たす場合にタバコ交換を許可する許可工程と
を有することを特徴とするタバコ交換管理方法。
【発明の詳細な説明】
【技術分野】
【０００１】
本発明は、遊技店において遊技客が有価価値をタバコに交換するタバコ交換を管理するタバコ交換管理装置およびタバコ交換管理方法に関し、特に、容易に遊技店の利益率低下を抑制することができるタバコ交換管理装置およびタバコ交換管理方法に関する。
【背景技術】
【０００２】
近年、飲料やタバコなどを無人で販売する自動販売機が至るところに設置されており、利用者は、わざわざ有人販売の店舗へ出向かなくても様々な商品を購入することができるようになっている。自動販売機には、このような手軽さという利点がある一方で、喫煙が禁止されている未成年者でも容易にタバコを購入することができ、未成年者の喫煙を助長していると指摘されている。
【０００３】
そこで、タバコのように販売対象年齢に制限がある商品の自動販売機に関しては、利用者が所有するカードによって利用者の年齢の認証を実行し、利用者が販売対象年齢に達している場合にのみ販売待機状態とさせることが検討されている（例えば特許文献１参照）。
【０００４】
また、２００８年からは、実際にタバコの自動販売機に成人識別機能が設けられることになっている。具体的には、タバコの自動販売機利用者は、あらかじめ所定の機関に申請することにより、成人識別用のＩＣカード（以下「タバコカード」という）の発行を受ける。そして、自動販売機利用時には、このタバコカードを自動販売機のカードリーダにかざすことによって成人認証され、タバコの購入が許可されるというものである。
【０００５】
【特許文献１】特開平７−９３６４８号公報
【発明の開示】
【発明が解決しようとする課題】
【０００６】
ところで、例えばパチンコ店などの遊技店においては、パチンコ用の玉やパチスロ用のメダルなどの遊技媒体をタバコに交換するタバコ交換機が設置されることがある。そして、一般に遊技店への入店が許されているのは１８歳以上であるため、一部の遊技客には未成年者も含まれている。したがって、遊技店におけるタバコ交換機にも、成人識別機能を付与することが必要になると考えられる。そして、成人識別機能が付与されれば、タバコ交換機は、無人でタバコ交換を行うことができる利便性が高い機器であるため、今後益々普及していくと考えられる。
【０００７】
しかしながら、タバコは遊技店にとっては薄利な景品であるため、遊技客が玉やメダルなどの遊技媒体を頻繁にタバコに交換すると、遊技店の利益率が低下するという問題がある。特に、無人のタバコ交換機においては、遊技店の従業員がタバコの交換個数を制限することが困難であり、遊技店の利益率低下に拍車がかかってしまう。
【０００８】
本発明はかかる点に鑑みてなされたものであり、容易に遊技店の利益率低下を抑制することができるタバコ交換管理装置およびタバコ交換管理方法を提供することを目的とする。
【課題を解決するための手段】
【０００９】
上記課題を解決するために、本発明は、遊技店において遊技客が有価価値をタバコに交換するタバコ交換を管理するタバコ交換管理装置であって、遊技客に固有の識別情報を取得する第１取得手段と、前記第１取得手段によって取得された識別情報に対応するタバコ交換履歴を取得する第２取得手段と、前記第２取得手段によって取得されたタバコ交換履歴が所定条件を満たすか否かを判定する判定手段と、前記判定手段による判定の結果、タバコ交換履歴が所定条件を満たす場合にタバコ交換を許可する許可手段とを有することを特徴とする。
【００１０】
また、本発明は、上記発明において、前記第１取得手段は、遊技客が所持する成人識別用のタバコカードのＩＤを識別情報として取得することを特徴とする。
【００１１】
また、本発明は、上記発明において、前記第１取得手段は、遊技客が所持する会員カードを受け付ける受付手段と、前記受付手段によって受け付けられた会員カードの会員ＩＤと遊技客が所持する成人識別用のタバコカードのＩＤとから固有ＩＤを生成する生成手段とを含むことを特徴とする。
【００１２】
また、本発明は、上記発明において、前記第２取得手段は、所定期間中にタバコ交換されたタバコ交換個数を取得し、前記判定手段は、タバコ交換個数が所定数以下であるか否かを判定することを特徴とする。
【００１３】
また、本発明は、上記発明において、前記第２取得手段は、タバコ交換されたタバコ交換時刻を取得し、前記判定手段は、前回のタバコ交換時刻から所定時間が経過しているか否かを判定することを特徴とする。
【００１４】
また、本発明は、上記発明において、前記第２取得手段は、遊技客の会員／非会員の種別を取得し、前記判定手段は、遊技客が会員である場合と非会員である場合とでタバコ交換履歴に異なる条件を適用することを特徴とする。
【００１５】
また、本発明は、上記発明において、前記許可手段によってタバコ交換が許可された場合、このタバコ交換をタバコ交換履歴に反映する反映手段をさらに有することを特徴とする。
【００１６】
また、本発明は、遊技店において遊技客が有価価値をタバコに交換するタバコ交換を管理するタバコ交換管理方法であって、遊技客に固有の識別情報を取得する第１取得工程と、前記第１取得工程にて取得された識別情報に対応するタバコ交換履歴を取得する第２取得工程と、前記第２取得工程にて取得されたタバコ交換履歴が所定条件を満たすか否かを判定する判定工程と、前記判定工程における判定の結果、タバコ交換履歴が所定条件を満たす場合にタバコ交換を許可する許可工程とを有することを特徴とする。
【発明の効果】
【００１７】
本発明によれば、遊技客に固有の識別情報を取得し、取得された識別情報に対応するタバコ交換履歴を取得し、取得されたタバコ交換履歴が所定条件を満たすか否かを判定し、判定の結果、タバコ交換履歴が所定条件を満たす場合にタバコ交換を許可する。このため、例えばタバコ交換の回数が多すぎたり、前回のタバコ交換からの経過時間が短すぎたりする遊技客には、無人のタバコ交換機でもタバコ交換が許可されず、タバコ交換の頻度を制限して容易に遊技店の利益率低下を抑制することができる。
【００１８】
また、本発明によれば、遊技客が所持する成人識別用のタバコカードのＩＤを識別情報として取得するため、遊技客を成人認証すると同時に、各遊技客を識別することができる。
【００１９】
また、本発明によれば、遊技客が所持する会員カードを受け付け、受け付けられた会員カードの会員ＩＤと遊技客が所持する成人識別用のタバコカードのＩＤとから固有ＩＤを生成する。このため、会員である遊技客に関しては、所有するタバコカードＩＤとは異なる固有ＩＤが遊技店に登録されることになり、個人情報保護の観点から会員カードの付加価値を向上することができる。
【００２０】
また、本発明によれば、所定期間中にタバコ交換されたタバコ交換個数を取得し、タバコ交換個数が所定数以下であるか否かを判定するため、例えば１日や１週間の間に１人の遊技客がタバコ交換を行う個数を制限することができ、結果として遊技店の利益率の低下を抑制することができる。
【００２１】
また、本発明によれば、タバコ交換されたタバコ交換時刻を取得し、前回のタバコ交換時刻から所定時間が経過しているか否かを判定するため、遊技客がタバコ交換を行う頻度を制限することができ、結果として遊技店の利益率の低下を抑制することができる。
【００２２】
また、本発明によれば、遊技客の会員／非会員の種別を取得し、遊技客が会員である場合と非会員である場合とでタバコ交換履歴に異なる条件を適用するため、タバコ交換に際して、例えば会員カードを所有する会員には非会員よりも緩い制限を課すことができ、会員カードの付加価値を向上することができる。
【００２３】
また、本発明によれば、タバコ交換が許可された場合、このタバコ交換をタバコ交換履歴に反映するため、遊技客ごとのタバコ交換履歴を常に最新状態に保つことができる。
【発明を実施するための最良の形態】
【００２４】
以下、本発明の実施の形態について、図面を参照して詳細に説明する。
【００２５】
（実施の形態１）
図１は、本発明の実施の形態１に係る遊技店の概略構成を示す図である。同図に示す遊技店では、遊技店の会員を管理する会員管理ターミナルコントローラ（以下「会員管理Ｔ／Ｃ」と略記する）１０に景品管理ＰＯＳ４０、計数機５０、および島コントローラ６０が接続されており、景品管理ＰＯＳ４０には自販機子機２０が接続されており、自販機子機２０にはタバコ交換機３０が併設されている。また、島コントローラ６０には、複数の貸出機６１が接続されており、それぞれの貸出機６１には遊技機６２が併設されている。
【００２６】
会員管理Ｔ／Ｃ１０は、遊技店の会員となって会員カードの発行を受けている会員の会員ＩＤと氏名や生年月日などの属性情報とを対応付けて記憶している。また、会員管理Ｔ／Ｃ１０は、各会員の貯玉または貯メダルなど、会員が遊技店に預けている遊技媒体数を記憶していても良い。
【００２７】
自販機子機２０は、遊技媒体をタバコに交換するために、タバコと等価の遊技媒体を受け入れ、遊技客が成人であることを確認するとともに、この遊技客が遊技店内で交換したタバコの個数などが所定条件を満たしていれば、タバコ交換機３０にタバコの投出を許可する許可信号を送信する。このとき、自販機子機２０は、タバコ交換機３０から通知されるタバコカードのＩＤ（以下「タバコカードＩＤ」という）をキーとして記憶している、遊技客ごとのタバコ交換履歴を参照し、タバコ交換履歴が所定の条件を満たしている場合にのみ許可信号をタバコ交換機３０へ送信する。
【００２８】
タバコ交換機３０は、自販機子機２０から許可信号が送出されると、遊技客によるタバコの銘柄の選択を待機し、遊技客が希望する銘柄のタバコを投出する。また、タバコ交換機３０は、所定の位置にタバコカードがかざされると、タバコカードＩＤを読み取って、タバコカードＩＤを自販機子機２０へ通知する。なお、自販機子機２０およびタバコ交換機３０の外観および内部構成については、後に詳述する。
【００２９】
景品管理ＰＯＳ４０は、遊技店の景品カウンターに設置され、遊技媒体の景品交換を管理する。具体的には、景品管理ＰＯＳ４０は、計数機５０にて発行される、遊技媒体数が記録されたレシートから交換可能な景品数を算出し、算出された景品数を景品カウンターの従業員に通知したり、景品を発行したりする。
【００３０】
計数機５０は、遊技客が投入する玉やメダルなどの遊技媒体を計数し、計数結果が記録されたレシートを発行する。レシートには、遊技媒体数が印字されていても良いし、磁気記憶されていても良い。さらに、レシートには、レシートＩＤのみが記録されており、計数結果は、景品管理ＰＯＳ４０によって参照可能な外部にレシートＩＤに対応付けられて記憶されていても良い。
【００３１】
島コントローラ６０は、「島」と呼ばれる区域に設置された複数の貸出機６１を統制管理しており、例えば貸出機６１に会員カードが受け付けられていれば、会員ＩＤに対応した貯玉数や貯メダル数を会員管理Ｔ／Ｃ１０から読み出し、この貯玉数や貯メダル数を上限とした遊技媒体の貸出処理を貸出機６１に指示する。
【００３２】
貸出機６１は、島コントローラ６０の指示に従って、玉やメダルなどの遊技媒体の貸出処理を行う。遊技機６２は、貸出機６１の貸出処理によって借り受けた遊技媒体を用いて遊技客が遊技を行う装置である。
【００３３】
ここで、自販機子機２０およびタバコ交換機３０の外観について、図２を参照しながら説明する。
【００３４】
自販機子機２０は、玉やメダルなどの遊技媒体を受け入れる遊技媒体受入部２０１を前面に有している。遊技媒体のタバコ交換を希望する遊技客は、タバコと等価以上の数の遊技媒体を遊技媒体受入部２０１へ投入する。
【００３５】
一方、タバコ交換機３０の前面には、遊技客がかざしたタバコカードのタバコカードＩＤを読み取るタバコカード読取部３０１が形成されており、タバコカード読取部３０１によってタバコカードＩＤが読み取られる。そして、タバコカードＩＤに対応付けて記憶されているタバコ交換履歴が所定の条件を満たしており、タバコ交換に十分な遊技媒体が自販機子機２０の遊技媒体受入部２０１へ投入されれば、タバコ交換機３０のディスプレイ部３０２において、遊技媒体数に応じて交換可能な銘柄のタバコの選択ボタンが点灯する。遊技客は、ディスプレイ部３０２の希望銘柄の点灯した選択ボタンを押下し、タバコ投出部３０３へ投出されるタバコを手に入れることができる。
【００３６】
次に、自販機子機２０およびタバコ交換機３０の内部構成について、図３を参照しながら説明する。
【００３７】
図３に示すように自販機子機２０は、遊技媒体受入部２０１、計数部２０２、接続部２０３、判定部２０４、タバコ交換データベース（以下「タバコ交換ＤＢ」と略記する）部２０５、および許可信号生成部２０６を有している。また、タバコ交換機３０は、タバコカード読取部３０１、ディスプレイ部３０２、タバコ投出部３０３、接続部３０４、および制御部３０５を有している。
【００３８】
遊技媒体受入部２０１は、例えば遊技媒体を保持可能な受け皿などから構成され、遊技客が持参した遊技媒体を受け入れ、計数部２０２へ送出する。このとき、遊技媒体受入部２０１は、タバコカードによって遊技客が成人認証されるまでは、受け入れられた遊技媒体を計数部２０２へ送出しないようにしても良い。
【００３９】
計数部２０２は、遊技媒体受入部２０１から送出される遊技媒体を計数し、計数結果の遊技媒体数を判定部２０４へ通知する。
【００４０】
接続部２０３は、併設されたタバコ交換機３０に接続され、タバコ交換機３０からタバコカードＩＤを受信したり、許可信号生成部２０６から出力される許可信号を送信したりする。
【００４１】
判定部２０４は、接続部２０３から出力されるタバコカードＩＤに対応するタバコ交換個数やタバコ交換時刻などのタバコ交換履歴をタバコ交換ＤＢ部２０５から読み出し、タバコ交換履歴が所定条件を満たしているか否かを判定する。具体的には、判定部２０４は、例えばタバコカードＩＤに対応する当日のタバコ交換個数が所定数以下であるか否かを判定したり、前回のタバコ交換時刻から所定時間が経過しているか否かを判定したりする。判定部２０４によるタバコ交換履歴の判定は、１つの条件のみについて行うのではなく、２つ以上の条件（例えば個数と時間）について同時に行っても良い。
【００４２】
そして、判定部２０４は、タバコ交換履歴が所定条件を満たし、かつ、計数部２０２によって計数された遊技媒体数がタバコ交換に不足していなければ、許可信号生成部２０６に許可信号を生成するように指示する。また、判定部２０４は、許可信号生成を指示すると、接続部２０３から通知されたタバコカードＩＤに対応付けられたタバコ交換履歴を更新する。すなわち、タバコ交換個数を１増やしたり、タバコ交換時刻として現在時刻を追加したりする。
【００４３】
タバコ交換ＤＢ部２０５は、タバコカードＩＤごとにタバコ交換履歴を対応付けて記憶している。具体的には、タバコ交換ＤＢ部２０５は、例えば図４に示すように、タバコカードＩＤに当日のタバコ交換個数および当日のタバコ交換時刻を対応付けて記憶している。なお、タバコ交換ＤＢ部２０５が記憶するタバコ交換履歴は、当日タバコ交換個数および当日タバコ交換時刻に限定されず、判定部２０４による判定の所定条件に応じて種々のタバコ交換履歴を記憶していて良い。つまり、例えば判定部２０４によって１週間のタバコ交換個数が所定数以下であるか否かが判定される場合は、タバコ交換ＤＢ部２０５は、１週間のタバコ交換個数をタバコ交換履歴として記憶する。
【００４４】
許可信号生成部２０６は、判定部２０４から許可信号生成を指示されると、タバコ交換を許可する旨の許可信号を生成し、接続部２０３へ出力する。このとき、許可信号生成部２０６は、タバコの銘柄によって必要な遊技媒体数が異なる場合は、計数部２０２によって計数された遊技媒体数に応じて交換可能な銘柄を指定する旨の許可信号を生成しても良い。
【００４５】
次にタバコ交換機３０に移って、タバコカード読取部３０１は、非接触型のＩＣカードであるタバコカードを検知し、タバコカードに固有のタバコカードＩＤを読み取って接続部３０４へ通知する。
【００４６】
ディスプレイ部３０２は、複数の銘柄のタバコのサンプルを支持するとともに、各サンプルの下に選択ボタンを有している。そして、選択ボタンは、自販機子機２０から許可信号が受信された場合にのみ、制御部３０５の制御によって点灯し、タバコ交換可能な状態になる。つまり、遊技客は、ディスプレイ部３０２の点灯した選択ボタンを押下することにより、希望する銘柄のタバコを取得することができる。
【００４７】
タバコ投出部３０３は、制御部３０５の制御によって、遊技客が押下した選択ボタンに対応する銘柄のタバコを投出する。
【００４８】
接続部３０４は、自販機子機２０に接続され、自販機子機２０から許可信号を受信したり、タバコカード読取部３０１から通知されるタバコカードＩＤを自販機子機２０へ送信したりする。
【００４９】
制御部３０５は、接続部３０４によって許可信号が受信されると、ディスプレイ部３０２の選択ボタンを点灯させ、タバコ交換可能な状態にする。このとき、制御部３０５は、許可信号によって銘柄が指定されている場合は、交換可能な銘柄の選択ボタンのみを点灯させる。また、制御部３０５は、ディスプレイ部３０２の点灯した選択ボタンが押下されると、この選択ボタンに対応する銘柄のタバコを投出するようにタバコ投出部３０３へ指示する。
【００５０】
次いで、上記のように構成された自販機子機２０およびタバコ交換機３０によるタバコ交換時の動作について、図５に示すフロー図を参照しながら説明する。
【００５１】
遊技客は、遊技媒体のタバコ交換を希望する際、遊技媒体とタバコカードを自販機子機２０およびタバコ交換機３０の設置場所へ持参する。そして、遊技客は、タバコカードをタバコ交換機３０のタバコカード読取部３０１へかざして、成人認証を受ける。タバコカード読取部３０１では、常にタバコカードによる成人認証が待機されており（ステップＳ１０１）、遊技客がタバコ交換を希望しても、タバコカードがかざされなかったり、不正なタバコカードがかざされたりした場合は成人認証されず（ステップＳ１０１Ｎｏ）、例えばタバコ交換が許可されない旨をタバコ交換機３０の図示しない表示部に表示するなどのエラー処理が実行される（ステップＳ１０９）。
【００５２】
一方、タバコカード読取部３０１に正当なタバコカードがかざされて成人認証されると（ステップＳ１０１Ｙｅｓ）、タバコカード読取部３０１によってタバコカードＩＤが読み取られ、タバコカードＩＤが接続部３０４から自販機子機２０の接続部２０３を経由して判定部２０４へ通知される。
【００５３】
また、遊技客が成人認証されると、遊技客が自販機子機２０の遊技媒体受入部２０１に投入した遊技媒体が受け入れられ（ステップＳ１０２）、計数部２０２によって計数され（ステップＳ１０３）、計数結果の遊技媒体数が判定部２０４へ通知される。
【００５４】
そして、判定部２０４によって、遊技媒体数がタバコ交換に必要な数に達しているか否かが判定され（ステップＳ１０４）、遊技媒体数が不足していれば（ステップＳ１０４Ｙｅｓ）、遊技媒体の追加が待機される。また、遊技媒体数が不足していなければ（ステップＳ１０４Ｎｏ）、判定部２０４に通知されているタバコカードＩＤに対応するタバコ交換履歴がタバコ交換ＤＢ部２０５から読み出される（ステップＳ１０５）。
【００５５】
タバコ交換履歴が読み出されると、判定部２０４によって、タバコ交換履歴が所定条件を満たしており、タバコ交換を許可しても良いか否かが判定される（ステップＳ１０６）。具体的には、例えば当日のタバコ交換個数が３個以下であり、かつ前回のタバコ交換から２時間以上が経過している場合にのみタバコ交換を許可するなどの判定が行われる。このような条件の場合、図４に示した例では、いずれのタバコカードＩＤに関しても当日タバコ交換個数については条件を満たしているが、現在時刻が例えば１７時半であれば、「ａａａ１２３」に対応する前回のタバコ交換時刻からは２時間が経過しておらず、このタバコカードＩＤを持つ遊技客はタバコ交換が許可されないことになる。
【００５６】
タバコ交換が許可されない場合は（ステップＳ１０６Ｎｏ）、タバコカードによる成人認証が行われない場合と同様に、例えばタバコ交換が許可されない旨をタバコ交換機３０の図示しない表示部に表示するなどのエラー処理が実行される（ステップＳ１０９）。
【００５７】
一方、タバコ交換履歴が所定条件を満たしていれば（ステップＳ１０６Ｙｅｓ）、成人認証、遊技媒体数、およびタバコ交換履歴のすべてがタバコ交換を許可する条件を満たしたことになるため、判定部２０４によって許可信号の生成が許可信号生成部２０６へ指示される。そして、許可信号生成部２０６によってタバコ交換を許可する旨の許可信号が生成され、接続部２０３からタバコ交換機３０へ送信される（ステップＳ１０７）。
【００５８】
送信された許可信号は、タバコ交換機３０の接続部３０４に受信され、制御部３０５へタバコ交換が許可されたことが通知され、制御部３０５によって、ディスプレイ部３０２の選択ボタンが点灯される。そして、遊技客が希望の銘柄の選択ボタンを押下すると、制御部３０５によって、この銘柄のタバコの投出指示がタバコ投出部３０３へ出され、タバコ投出部３０３からタバコが投出される。
【００５９】
また、判定部２０４によって、今回のタバコ交換によりタバコ交換個数が１増加し、最新のタバコ交換時刻が現在時刻となることなどがタバコ交換ＤＢ部２０５に反映される。すなわち、判定部２０４から許可信号生成部２０６へ許可信号生成が指示されるのと同時に、今回のタバコ交換履歴がタバコ交換ＤＢ部２０５に追加登録される（ステップＳ１０８）。
【００６０】
以上のように、本実施の形態によれば、自販機子機が遊技客ごとのタバコカードＩＤに対応するタバコ交換履歴を記憶しておき、タバコ交換が行われる際には、タバコカードから読み取られるタバコカードＩＤに対応するタバコ交換履歴を参照して、タバコ交換の回数が多すぎたり、前回のタバコ交換からの経過時間が短すぎたりする場合には、タバコ交換を許可しない。このため、無人のタバコ交換機においても、タバコ交換回数が多い遊技客にはタバコ交換の制限を課することができ、容易に遊技店の利益率低下を抑制することができる。
【００６１】
（実施の形態２）
本発明の実施の形態２の特徴は、景品カウンターを含む遊技店全体におけるタバコ交換履歴を一括して管理し、遊技店内におけるタバコ交換を制限するとともに、遊技店の会員と非会員とを区別して会員カードの付加価値を向上する点である。
【００６２】
本実施の形態に係る遊技店の概略構成は、実施の形態１（図１）と同様であるため、その説明を省略する。本実施の形態においては、景品管理ＰＯＳ４０にタバコカードＩＤごとのタバコ交換履歴が記憶される場合について説明する。
【００６３】
図６は、本実施の形態に係る自販機子機２０およびタバコ交換機３０の内部構成を示すブロック図である。なお、同図において、図３と同じ部分には同じ符号を付し、その説明を省略する。図６に示す自販機子機２０は、遊技媒体受入部２０１、計数部２０２、接続部２０３、許可信号生成部２０６、会員カード受付部２５１、固有ＩＤ生成部２５２、送受信部２５３、および判定部２５４を有している。また、タバコ交換機３０は、実施の形態１（図３）と同様の構成を有している。
【００６４】
会員カード受付部２５１は、遊技客が所有する会員カードを受け付ける挿入口を有しており、会員カードが受け付けられた場合は、会員カードに記録されている会員ＩＤを固有ＩＤ生成部２５２へ出力する。
【００６５】
固有ＩＤ生成部２５２は、タバコ交換機３０から接続部２０３を介して通知されるタバコカードＩＤと会員カード受付部２５１から出力される会員ＩＤとから遊技客に固有のＩＤ（固有ＩＤ）を生成する。このとき、固有ＩＤ生成部２５２は、所定のアルゴリズムを用いて、元のタバコカードＩＤが類推されない固有ＩＤを生成する。そして、固有ＩＤ生成部２５２は、固有ＩＤを送受信部２５３へ出力する。なお、固有ＩＤ生成部２５２は、会員カード受付部２５１に会員カードが受け付けられておらず、会員ＩＤが出力されない場合は、タバコカードＩＤを送受信部２５３へ出力する。
【００６６】
送受信部２５３は、固有ＩＤ生成部２５２から出力される固有ＩＤまたはタバコカードＩＤを景品管理ＰＯＳ４０へ送信し、固有ＩＤまたはタバコカードＩＤに対応するタバコ交換履歴を問い合わせる。また、送受信部２５３は、景品管理ＰＯＳ４０から固有ＩＤまたはタバコカードＩＤに対応するタバコ交換履歴を受信し、判定部２５４へ出力する。そして、判定部２５４によってタバコ交換が許可された場合は、送受信部２５３は、問い合わせ時に送信された固有ＩＤまたはタバコカードＩＤとともにタバコ交換が行われる旨を景品管理ＰＯＳ４０へ送信し、タバコ交換履歴の更新を要求する。
【００６７】
ここで、景品管理ＰＯＳ４０には、例えば図７に示すようなテーブルが記憶されている。すなわち、固有ＩＤまたはタバコカードＩＤのＩＤに、遊技客の会員／非会員の種別や当日のタバコ交換個数や当週のタバコ交換個数などのタバコ交換履歴が対応付けて記憶されている。景品管理ＰＯＳ４０は、自販機子機２０から固有ＩＤまたはタバコカードＩＤが受信され、タバコ交換履歴が問い合わせられると、ＩＤに対応するタバコ交換履歴を自販機子機２０へ送信する。本実施の形態においては、景品管理ＰＯＳ４０がタバコ交換履歴を記憶しているため、遊技店内に複数の自販機子機２０およびタバコ交換機３０が設置されていても、すべての自販機子機２０およびタバコ交換機３０にて、遊技客ごとのタバコ交換履歴を共有することができる。
【００６８】
また、本実施の形態においては、遊技客の会員／非会員の種別がタバコ交換履歴に含まれているが、会員／非会員の種別は、自販機子機２０から送信されるＩＤが固有ＩＤであるかタバコカードＩＤであるかによって判別可能である。すなわち、自販機子機２０から固有ＩＤが送信されていれば、会員カードが受け付けられていることから遊技客が会員であることになり、タバコカードＩＤが送信されていれば、会員カードが受け付けられていないことから遊技客が非会員であることになる。したがって、景品管理ＰＯＳ４０に未登録のＩＤが自販機子機２０から受信された場合は、このＩＤが固有ＩＤであるかタバコカードＩＤであるかによって、会員／非会員の種別が登録される。
【００６９】
再び図６を参照して、判定部２５４は、送受信部２５３から出力されるタバコ交換個数やタバコ交換時刻などのタバコ交換履歴が所定条件を満たしているか否かを判定する。具体的には、判定部２５４は、例えば当日のタバコ交換個数が所定数以下であるか否かを判定したり、今週のタバコ交換個数が所定数以下であるか否かを判定したりする。ただし、本実施の形態においては、タバコ交換履歴に遊技客の会員／非会員の種別が含まれており、遊技客が会員であるか非会員であるかによってタバコ交換が許可される条件が異なっている。具体的には、非会員よりも会員の方がタバコ交換の制限が緩く、より多くのタバコ交換が許可されるようになっている。
【００７０】
そして、判定部２５４は、タバコ交換履歴が所定条件を満たし、かつ、計数部２０２によって計数された遊技媒体数がタバコ交換に不足していなければ、許可信号生成部２０６に許可信号を生成するように指示するとともに、タバコ交換が許可されたことを送受信部２５３へ通知する。
【００７１】
次いで、上記のように構成された自販機子機２０およびタバコ交換機３０によるタバコ交換時の動作について、図８に示すフロー図を参照しながら説明する。なお、同図において、図５と同じ部分には同じ符号を付し、その詳しい説明を省略する。
【００７２】
遊技客は、遊技媒体のタバコ交換を希望する際、遊技媒体、タバコカード、および会員カードを自販機子機２０およびタバコ交換機３０の設置場所へ持参する。そして、遊技客は、タバコカードをタバコ交換機３０のタバコカード読取部３０１へかざして、成人認証を受けるとともに、会員の遊技客は、会員カードを自販機子機２０の会員カード受付部２５１の挿入口へ挿入する。タバコカード読取部３０１では、常にタバコカードによる成人認証が待機されており（ステップＳ１０１）、遊技客がタバコ交換を希望しても、成人認証されなければ（ステップＳ１０１Ｎｏ）、エラー処理が実行される（ステップＳ１０９）。
【００７３】
一方、タバコカード読取部３０１に正当なタバコカードがかざされて成人認証されると（ステップＳ１０１Ｙｅｓ）、タバコカード読取部３０１によってタバコカードＩＤが読み取られ、タバコカードＩＤが接続部３０４から自販機子機２０の接続部２０３を経由して固有ＩＤ生成部２５２へ通知される。
【００７４】
また、遊技客が成人認証されると、遊技客が自販機子機２０の遊技媒体受入部２０１に投入した遊技媒体が受け入れられ（ステップＳ１０２）、計数部２０２によって計数され（ステップＳ１０３）、計数結果の遊技媒体数が判定部２５４へ通知される。
【００７５】
そして、判定部２５４によって、遊技媒体数が不足しているか否かが判定され（ステップＳ１０４）、遊技媒体数が不足していれば（ステップＳ１０４Ｙｅｓ）、遊技媒体の追加が待機される。また、遊技媒体数が不足していなければ（ステップＳ１０４Ｎｏ）、固有ＩＤ生成部２５２によって、会員カード受付部２５１に会員カードが受け付けられているか否かが判定され（ステップＳ２０１）、会員カードが受け付けられていれば（ステップＳ２０１Ｙｅｓ）、会員カード受付部２５１によって読み取られた会員ＩＤとタバコカードＩＤとから固有ＩＤが生成される。生成された固有ＩＤは、送受信部２５３から景品管理ＰＯＳ４０へ送信される（ステップＳ２０２）。また、会員カード受付部２５１に会員カードが受け付けられていなければ（ステップＳ２０１Ｎｏ）、タバコカードＩＤが送受信部２５３から景品管理ＰＯＳ４０へ送信される（ステップＳ２０３）。
【００７６】
送信された固有ＩＤまたはタバコカードＩＤが景品管理ＰＯＳ４０によって受信されると、景品管理ＰＯＳ４０は、受信したＩＤに対応するタバコ交換履歴を自販機子機２０へ返信する。すなわち、例えば図７に示したテーブルを記憶している景品管理ＰＯＳ４０がＩＤ「ＣＤＥ１３５」を受信した場合、このＩＤに対応する遊技客は会員であり、当日タバコ交換個数が２個、当週タバコ交換個数が５個であることを示すタバコ交換履歴を自販機子機２０へ返信する。このとき、景品管理ＰＯＳ４０は、受信したＩＤに対応するタバコ交換履歴が記憶されていなければ、ＩＤが固有ＩＤであるかタバコカードＩＤであるかに応じて会員／非会員の種別を判別し、新たなＩＤに対応するタバコ交換履歴を登録する。ここで注目すべきなのは、会員である遊技客に関しては、所有するタバコカードＩＤが類推されない固有ＩＤが登録されることになり、個人情報保護の観点からも会員カードの付加価値が向上する。
【００７７】
景品管理ＰＯＳ４０から返信されたタバコ交換履歴は、自販機子機２０の送受信部２５３によって受信され（ステップＳ２０４）、判定部２５４へ出力される。そして、判定部２５４によって、タバコ交換履歴が所定条件を満たしており、タバコ交換を許可しても良いか否かが判定される（ステップＳ２０５）。具体的には、例えば当日のタバコ交換個数が３個以下であり、かつ当週のタバコ交換個数が５個以下である場合にのみタバコ交換を許可するなどの判定が行われる。このような条件の場合、図７に示した例では、いずれのＩＤに関しても当日タバコ交換個数については条件を満たしているが、「ＦＧＨ２４６」に対応する当週タバコ交換個数が７個であり、このＩＤに対応する遊技客はタバコ交換が許可されないことになる。
【００７８】
また、本実施の形態においては、ＩＤに対応する種別が会員であるか非会員であるかによってタバコ交換を許可する条件を異ならせることができる。すなわち、例えば会員は当週のタバコ交換個数が１０個以下である場合にのみタバコ交換を許可し、非会員は当週のタバコ交換個数が５個以下である場合にのみタバコ交換を許可するなどの判定が可能である。この場合も、図７に示した例では、「ＦＧＨ２４６」に対応する遊技客は非会員であるため、タバコ交換が許可されないことになる。このように、本実施の形態においては、タバコ交換の制限に関しても、会員カードの付加価値が向上する。タバコ交換が許可されない場合は（ステップＳ２０５Ｎｏ）、タバコカードによる成人認証が行われない場合と同様のエラー処理が実行される（ステップＳ１０９）。
【００７９】
一方、タバコ交換履歴が所定条件を満たしていれば（ステップＳ２０５Ｙｅｓ）、判定部２５４によって許可信号の生成が許可信号生成部２０６へ指示される。そして、許可信号生成部２０６によってタバコ交換を許可する旨の許可信号が生成され、接続部２０３からタバコ交換機３０へ送信され（ステップＳ１０７）、タバコ交換機３０のタバコ投出部３０３から遊技客が希望する銘柄のタバコが投出される。
【００８０】
また、判定部２５４によってタバコ交換が許可されると、タバコ交換履歴の問い合わせに用いられた固有ＩＤまたはタバコカードＩＤが送受信部２５３から景品管理ＰＯＳ４０へ送信され、今回のタバコ交換履歴が景品管理ＰＯＳ４０のテーブルに追加登録される（ステップＳ２０６）。
【００８１】
以上のように、本実施の形態によれば、景品管理ＰＯＳが遊技客ごとの固有ＩＤまたはタバコカードＩＤに対応するタバコ交換履歴を記憶しておき、タバコ交換が行われる際には、会員カードおよびタバコカードから得られる固有ＩＤまたはタバコカードＩＤに対応するタバコ交換履歴を自販機子機が景品管理ＰＯＳから受信し、タバコ交換履歴が所定条件を満たさない場合には、タバコ交換を許可しない。このため、無人のタバコ交換機においても、タバコ交換の制限を課することができるとともに、遊技店内に複数の自販機子機およびタバコ交換機が設置されていても、景品カウンターも含めた遊技店全体におけるタバコ交換履歴を参照してタバコ交換を制限することができる。さらに、会員カードを所有する会員については、タバコカードＩＤが遊技店に登録されることはなく、タバコ交換の制限に関しても会員／非会員の差別化を図ることができ、会員カードの付加価値を向上することができる。
【００８２】
なお、上記各実施の形態において、記憶するタバコ交換履歴およびタバコ交換を許可する条件は、種々変更が可能である。例えば、上記実施の形態１において、タバコ交換履歴に会員／非会員の種別を加えたり、上記実施の形態２において、タバコ交換履歴にタバコ交換時刻を加えたりしても良い。また、上記各実施の形態において、タバコ交換履歴をタバコ交換機３０が記憶しても良い。この場合には、タバコカードによる成人認証とタバコ交換履歴からのタバコ交換許可とがタバコ交換機３０によって実行され、最終的に、自販機子機２０の判定部２０４によって遊技媒体数に不足がないと判定されれば、タバコ交換が許可される。
【００８３】
さらに、上記実施の形態２においては、景品管理ＰＯＳ４０ではなく、会員管理Ｔ／Ｃ１０がタバコ交換履歴を記憶しても良い。こうすることにより、例えば遊技店内に複数の景品カウンターが設けられる場合でも、すべての景品カウンターおよび自販機子機において遊技客ごとのタバコ交換履歴を参照することが可能となる。
【００８４】
また、上記実施の形態２においては、タバコ交換履歴に会員／非会員の種別を加えたが、会員／非会員の種別は、自販機子機２０に会員カードが受け付けられたか否かで判別できるため、タバコ交換履歴としてではなく、会員カード受付部２５１に会員カードが受け付けられたか否かが判定部２５４へ通知されるようにしても良い。
【００８５】
また、上記各実施の形態においては、遊技媒体そのものによってタバコ交換が実行されるものとしたが、交換されるタバコと等価の有価価値を遊技客から徴収できるのであれば、例えば遊技客の貯玉や貯メダルの口座からタバコ交換分の遊技媒体を徴収したり、電子マネーやプリペイドカードなど遊技店で利用可能な価値媒体からタバコ交換分の有価価値を徴収したりしても良い。また、上記各実施の形態においては、自販機子機２０とタバコ交換機３０を別体として構成するものとしたが、これらは一体化されていても良い。
【産業上の利用可能性】
【００８６】
本発明は、容易に遊技店の利益率低下を抑制する場合に適用することができる。
【図面の簡単な説明】
【００８７】
【図１】実施の形態１に係る遊技店の概略構成を示す図である。
【図２】実施の形態１に係る自販機子機およびタバコ交換機の外観を示す図である。
【図３】実施の形態１に係る自販機子機およびタバコ交換機の内部構成を示すブロック図である。
【図４】実施の形態１に係るタバコ交換ＤＢの一例を示す図である。
【図５】実施の形態１に係る自販機子機の動作を示すフロー図である。
【図６】実施の形態２に係る自販機子機およびタバコ交換機の内部構成を示すブロック図である。
【図７】実施の形態２に係るタバコ交換履歴のテーブルの一例を示す図である。
【図８】実施の形態２に係る自販機子機の動作を示すフロー図である。
【符号の説明】
【００８８】
２０１  遊技媒体受入部
２０２  計数部
２０３、３０４  接続部
２０４、２５４  判定部
２０５  タバコ交換ＤＢ部
２０６  許可信号生成部
２５１  会員カード受付部
２５２  固有ＩＤ生成部
２５３  送受信部
３０１  タバコカード読取部
３０２  ディスプレイ部
３０３  タバコ投出部
３０５  制御部
【図１】
2007319529.tif 000003
【図２】
2007319529.tif 000004
【図３】
2007319529.tif 000005
【図４】
2007319529.tif 000006
【図５】
2007319529.tif 000007
【図６】
2007319529.tif 000008
【図７】
2007319529.tif 000009
【図８】
2007319529.tif 000010